(57)【特許請求の範囲】
【請求項１】
損失限定の金融取引システムであって、サーバー側とクライアント側とを包括し、前記サーバー側がネットワークを通じて前記クライアント側と接続し；
前記サーバー側は、複数のサーバーを包括し、前記サーバー内に金融取引ユニットが設けられ；
前記クライアント側は、複数のクライアント端末を包括し、前記クライアント端末が前記金融取引ユニットの共有を通じてリアルタイムな金融取引を行うことに適し；
前記金融取引ユニットは、リミットロックモジュールと強制取引モジュールとを包括し、前記リミットロックモジュールが金融取引の利益目標幅、損切り幅及び投資金額の設定に適し、投資商品の価格は前記利益目標幅又は損切り幅の２者の発生の早い方が対応する投資商品価格Ｐに触れた又は超えた時、前記強制取引モジュールがリアルタイムで前記価格Ｐをもって投資商品に対し取引の決済を行い、
前記サーバー側は、プライマリサーバーと第１サーバーと第２サーバーと第３サーバーとディーラーのサーバーとを包括し、前記プライマリサーバー、第１サーバー、第２サーバー、第３サーバーでトップレベルサーバー側を構成し、前記プライマリサーバーが各々前記第１サーバー、第２サーバー及び第３サーバーに接続され；前記第１サーバー、第２サーバー及び第３サーバーは、いずれも前記ディーラーのサーバーに接続され、前記ディーラーのサーバーが前記トップレベルサーバー側と前記クライアント側の間に介在され；前記クライアント側のクライアント端末は、ディーラーのクライアント端末とディーラー代理人のクライアント端末と投資家のクライアント端末とを包括し、前記ディーラーのサーバーが各々前記ディーラーのクライアント端末、ディーラー代理人のクライアント端末及び投資家のクライアント端末に接続され；
前記プライマリサーバー内の前記金融取引ユニットは、金融取引ユニットIであり、前記金融取引ユニットIがＳＱＬデータ処理を経た後、金融取引ユニットIIに変換され、前記金融取引ユニットIIが前記第１サーバー、第２サーバー及び第３サーバー内で共有され；
前記第１サーバー、第２サーバー及び第３サーバー内の金融取引ユニットIIは、前記ディーラーのサーバーと共有され、前記ディーラーのサーバー内の金融取引ユニットIIが前記ディーラーのクライアント端末、ディーラー代理人のクライアント端末及び投資家のクライアント端末と共有され、
前記投資家のクライアント端末内の金融取引ユニットIIのリミットロックモジュールは、入力モジュールを包括し、前記入力モジュールは投資家が前記利益目標幅及び投資金額を入力するために用いられ、また前記損切り幅を手動で入力又は前記利益目標幅に基づいて前記利益目標幅に等しい損切り幅を自動に入力するために用いられ、
前記投資家のクライアント端末内の金融取引ユニットIIの強制取引モジュールは、取引確定モジュールを包括し、前記入力モジュールで利益目標幅、損切り幅及び投資金額を入力した後、前記取引確定モジュールが前記利益目標幅、損切り幅及び投資金額に基づいて投資商品の取引量、利益目標額及び損切り額を自動算出すると共にインターフェースに表示され、投資家は前記取引量、利益目標額及び損切り額によって取引確定又は取引取消を選択し、
前記ディーラーのサーバーの金融取引ユニットIIは、投資商品の相場情報取得モジュールを包括し、前記相場情報取得モジュールが投資商品のリアルタイム提示価格を取得して前記リアルタイム提示価格を前記ディーラーのクライアント端末、ディーラー代理人のクライアント端末及び投資家のクライアント端末に伝送するために用いられ、
投資家が取引を確定する前、前記リアルタイム提示価格に変動が発生した場合、前記取引確定モジュールは価格変動により価格を再提示するという知らせを発し、また変動後の価格に基づいて投資商品の取引量、利益目標額及び損切り額を再度自動算出した後、インターフェースに表示し、前記投資家が前記取引量、前記利益目標額及び前記損切り額によって取引確定又は取引取消を選択することにより、
投資家は、投資商品の最新の提示価格が投資家自身で設定した損切りライン又は利益目標ラインに触れる又は超える前に、ディーラーに対し決済を求める場合、投資家とディーラー双方の約定を見て、１、投資家が当初予め設定した損切りライン又は利益目標ラインによって決済するか、または、２、投資商品の最新の提示価格が投資家自身で設定した損切りライン又は利益目標ラインに触れる前に、ディーラーに対し決済を求めるか、または、３、無条件で投資家は投資商品の最新の提示価格が投資家自身で設定した損切りライン又は利益目標ラインに触れる前、ディーラーに対し決済を求めるかの３つの選択肢を選べる
ことを特徴とする損失限定の金融取引システム。
【請求項２】
前記プライマリサーバー、第１サーバー、第２サーバー及び第３サーバーには、いずれも予備サーバーが設けられる
請求項１に記載の損失限定の金融取引システム。
【請求項３】
前記投資家のクライアント端末内の金融取引ユニットIIは、表示モジュールを包括し、前記表示モジュールが投資商品のリアルタイム提示価格とプライマリー及び全てのセカンダリーディーラー代理人の当日の少なくとも未決済取引、取消又は拒否された取引、決済済み取引履歴及び投資家の口座情報を表示するために用いられる
請求項１または２に記載の損失限定の金融取引システム。
【請求項４】
前記強制取引モジュールは、リアルタイムで前記価格Ｐをもって投資商品に対し取引の決済を行う時、決済データが前記ディーラーのサーバーにより処理された後前記表示モジュールに伝送されて前記決済済み取引履歴及び投資家の口座情報を表示する
請求項３に記載の損失限定の金融取引システム。
【請求項５】
前記投資家の口座情報は、取引明細と資金明細とを包括し、前記取引明細が決済済み取引と未決済取引の明細を含み、前記資金明細が預入額、引き出し額、信用額及び残高の明細を含む
請求項４に記載の損失限定の金融取引システム。
【請求項６】
前記投資家のクライアント端末内の金融取引ユニットIIは、投資商品選択モジュールを包括し、前記プライマリサーバー内の金融取引ユニットIが取引手数料徴収方式選択モジュールを包括し；
前記投資商品選択モジュールは、投資商品の種類を選択するために用いられ、前記取引手数料徴収方式選択モジュールがディーラーのコミッション徴収方式を選択するために用いられる
請求項１ないし５のいずれかに記載の損失限定の金融取引システム。
【発明の詳細な説明】
【技術分野】
【０００１】
本発明は、金融取引技術分野に関し、特に、損失額又は投資金額の不確実性を排除できる金融取引システム、すなわち損失を限定できる金融取引システムに関する。
【背景技術】
【０００２】
投資がリスク及びリターンに及び、投資市場でこれまで使用している手法は、投資家のリターン要求を満たすことができないたり、往々にして投資家に想定外リスクがもたらされている。
【０００３】
証拠金及びレバレッジ
現物、先物又はオプション（プット）取引を問わず、投資家が投資商品の契約額の１００％を支払って取引する場合を除き、１００％の契約額より少ない資金で行う取引は、証拠金取引と呼ばれる。
【０００４】
米原油先物の例で証拠金取引の原理を説明する。
契約数量：１０００バレル；
約定価格：ＵＳＤ４０／バレル；
契約額：ＵＳＤ４０，０００；
投資家Ａが契約額の１００％、すなわち、ＵＳＤ４０，０００で取引を行う場合、業界では実物取引と呼ばれる。
【０００５】
投資家Ａが契約額の１０％、すなわち、ＵＳＤ４，０００で取引を行う場合、レバレッジ率が１０倍となり、業界では証拠金取引又はレバレッジ取引と呼ばれる。
【０００６】
証拠金取引制度は、マージンコール（Ｍａｒｇｉｎ  Ｃａｌｌ）が発生し、更に損失が投資家取引口座の資産額を超える（Ｏｖｅｒ−ｌｏｓｓ）。理由は、証拠金制度が投資家に対して損切り幅の予め設定を強制要求せず、投資商品価格の思惑と逆方向に動いた幅が証拠金を超えると、投資家にマージンコールが発生されるのを避けることができず、さらに損失が証拠金を超えてしまい、こうして顧客は極めて大きな損失の不確実性リスクを受け、巨額損失を容易に被る。
【発明の概要】
【発明が解決しようとする課題】
【０００７】
本発明は、現在金融・投資商品の証拠金取引制度の損失の不確実性リスクが大きく、容易に巨額損失を被る技術的課題を解決することを目的とする。
【課題を解決するための手段】
【０００８】
上記目的を達成するため、本発明は、損失限定の金融取引システムを提供するものであり、サーバー側とクライアント側とを包括し、前記サーバー側がネットワークを通じて前記クライアント側と接続し；
前記サーバー側は、複数のサーバーを包括し、前記サーバー内に金融取引ユニットが設けられ；
前記クライアント側は、複数のクライアント端末を包括し、前記クライアント端末が前記金融取引ユニットの共有を通じてリアルタイムな金融取引を行うことに適し；
前記金融取引ユニットは、リミットロックモジュールと強制取引モジュールとを包括し、前記リミットロックモジュールが金融取引の利益目標幅、損切り幅及び投資金額の設定に適し、投資商品の価格は前記利益目標幅又は損切り幅の２者の発生の早い方が対応する投資商品価格Ｐに触れた又は超えた時、前記強制取引モジュールがリアルタイムで前記価格Ｐをもって投資商品に対し取引の決済を行う。
【０００９】
好ましくは、前記サーバー側は、プライマリサーバーと第１サーバーと第２サーバーと第３サーバーとディーラーのサーバーとを包括し、前記プライマリサーバー、第１サーバー、第２サーバー、第３サーバーでトップレベルサーバー側を構成し、前記プライマリサーバーが各々前記第１サーバー、第２サーバー及び第３サーバーに接続され；前記第１サーバー、第２サーバー及び第３サーバーは、いずれも前記ディーラーのサーバーに接続され、前記ディーラーのサーバーが前記トップレベルサーバー側と前記クライアント側の間に介在され；前記クライアント側のクライアント端末は、ディーラーのクライアント端末とディーラー代理人のクライアント端末と投資家のクライアント端末とを包括し、前記ディーラーのサーバーが各々前記ディーラーのクライアント端末、ディーラー代理人のクライアント端末及び投資家のクライアント端末に接続され；
前記プライマリサーバー内の前記金融取引ユニットは、金融取引ユニットＩであり、前記金融取引ユニットＩがＳＱＬデータ処理を経た後、金融取引ユニットＩＩに変換され、前記金融取引ユニットＩＩが前記第１サーバー、第２サーバー及び第３サーバー内で共有され；
前記第１サーバー、第２サーバー及び第３サーバー内の金融取引ユニットＩＩは、前記ディーラーのサーバーと共有され、前記ディーラーのサーバー内の金融取引ユニットＩＩが前記ディーラーのクライアント端末、ディーラー代理人のクライアント端末及び投資家のクライアント端末と共有される。
【００１０】
好ましくは、前記プライマリサーバー、第１サーバー、第２サーバー及び第３サーバーには、いずれも予備サーバーが設けられる。
【００１１】
好ましくは、前記投資家のクライアント端末内の金融取引ユニットＩＩのリミットロックモジュールは、入力モジュールを包括し、前記入力モジュールは投資家が前記利益目標幅及び投資金額を入力するために用いられ、また前記損切り幅を手動で入力又は前記利益目標幅に基づいて前記利益目標幅に等しい損切り幅を自動に入力するために用いられる。
【００１２】
好ましくは、前記投資家のクライアント端末内の金融取引ユニットＩＩの強制取引モジュールは、取引確定モジュールを包括し、前記入力モジュールで利益目標幅、損切り幅及び投資金額を入力した後、前記取引確定モジュールが前記利益目標幅、損切り幅及び投資金額に基づいて投資商品の取引量、利益目標額及び損切り額を自動算出すると共にインターフェースに表示され、投資家は前記取引量、利益目標額及び損切り額によって取引確定又は取引取消を選択する。
【００１３】
好ましくは、前記ディーラーのサーバーの金融取引ユニットＩＩは、投資商品の相場情報取得モジュールを包括し、前記相場情報取得モジュールが投資商品のリアルタイム提示価格を取得して前記リアルタイム提示価格を前記ディーラーのクライアント端末、ディーラー代理人のクライアント端末及び投資家のクライアント端末に伝送するために用いられる。
【００１４】
好ましくは、投資家が取引を確定する前、前記リアルタイム提示価格に変動が発生した場合、前記取引確定モジュールは価格変動により価格を再提示するという知らせを発し、また変動後の価格に基づいて投資商品の取引量、利益目標額及び損切り額を再度自動算出した後、インターフェースに表示し、投資家が前記取引量、利益目標額及び損切り額によって取引確定又は取引取消を選択する。
【００１５】
好ましくは、前記投資家のクライアント端末内の金融取引ユニットＩＩは、表示モジュールを包括し、前記表示モジュールが投資商品のリアルタイム提示価格とプライマリー及び全てのセカンダリーディーラー代理人の当日の少なくとも未決済取引、取消又は拒否された取引、決済済み取引履歴及び投資家の口座情報を表示するために用いられる。
【００１６】
好ましくは、前記強制取引モジュールは、リアルタイムで前記価格Ｐをもって投資商品に対し取引の決済を行う時、決済データが前記ディーラーのサーバーにより処理された後前記表示モジュールに伝送されて前記決済済み取引履歴及び投資家の口座情報を表示する。
【００１７】
好ましくは、前記投資家の口座情報は、取引明細と資金明細とを包括し、前記取引明細が決済済み取引と未決済取引の明細を含み、前記資金明細が預入額、引き出し額、信用額及び残高の明細を含む。
【００１８】
好ましくは、前記投資家のクライアント端末内の金融取引ユニットＩＩは、投資商品選択モジュールを包括し、前記プライマリサーバー内の金融取引ユニットＩが取引手数料徴収方式選択モジュールを包括し；
前記投資商品選択モジュールは、投資商品の種類を選択するために用いられ、前記取引手数料徴収方式選択モジュールがディーラーのコミッション徴収方式を選択するために用いられる。
【発明の効果】
【００１９】
本発明は、全く新しい金融取引システムを提供し、契約満期日（Ｍａｔｕｒｉｔｙ）を決済時間として設けず、ディーラー（Ｄｅａｌｅｒ）の関連投資商品に対する最新の提示価格は投資家が設定した損切りライン又は利益目標ラインに触れる或いは超えることをベースとし、最新の提示価格は投資家が設定した損切りライン又は利益目標ラインに触れた或いは超えた場合、当該取引を直ちに決済する。
【００２０】
投資家は、投資商品の最新の提示価格が投資家自身で設定した損切りライン又は利益目標ラインに触れる又は超える前に、ディーラーに対し決済を求める場合、投資家とディーラー双方の約定を見て次の３つのいずれかを選択できる。
１、投資家が当初予め設定した損切りライン又は利益目標ラインによって決済する。
２、投資商品の最新の提示価格が投資家自身で設定した損切りライン又は利益目標ラインに触れる前に、ディーラーに対し決済を求めることができ、ディーラーが投資家からサービス料或いは手数料を徴収することを条件とする。
３、ディーラーは、無条件で投資家は投資商品の最新の提示価格が投資家自身で設定した損切りライン又は利益目標ラインに触れる前、ディーラーに対し決済を求めることができることを容認する。
【００２１】
本発明には一定の契約額がなく、毎回取引の契約数量が投資家の次の２号の選択によって決まる。
１、投資金額（取引金額とも言われる）；
２、損切り幅；
契約数量＝投資金額／損切り幅。
【００２２】
本発明は、投資家に考えから行動するよう勧め、リスク許容度及び目標リターンが全ての投資の重要な考慮事項である。各投資取引の安全を確保するため、投資家に次の２つの要求に従うよう求めている。ａ）あらかじめ計画してから行動し；ｂ）決済損失が本来の予算を超えない。これは、投資家に対し各取引を確定する前、投資金額や利益目標幅及損切り幅を入力するよう求めている。上記２つの要求のほかに、投資家とディーラー双方が投資家の損切り幅又は利益目標幅のみで決済することに同意することを加え、ディーラーが提供する投資商品の最新の提示価格は投資家の損切りラインに触れた場合又は超えた場合、当該取引がすぐ決済され、投資家の取引金額が損失額に等しく、潜在的な最大損失を予知できる。
【００２３】
現行の先物取引に比べると、万が一投資商品の価格が市場に激しい値動きが現れ或いは連休の休場原因によりギャップアップ又はギャップダウン（Ｐｒｉｃｅ  Ｇａｐ  Ｕｐ  ｏｒ  Ｐｒｉｃｅ  Ｇａｐ  Ｄｏｗｎ）が現れ、投資商品の最新約定価格はすでに投資家があらかじめ設定した損切り幅を超え、投資家の最終決済損失があらかじめ設定した損切り幅より大きい。
【００２４】
よって、投資家及びディーラー双方に公平に潜在的な最大損失を予知させるため、本発明は１つの重要精神を具現し、すなわち、投資家及びディーラー双方が想定外の収益又は利益を放棄して自分のリスク許容度（損切り幅）を超えないことを保障することに同意する。
【００２５】
以下、添付図面及び実施例を組み合わせて本発明に対し更なる説明を行う。
【図面の簡単な説明】
【００２６】
【図１】本発明の一実施例の原理ブロック図
【図２】本発明の金融取引ユニットＩＩの構成ブロック図
【発明を実施するための形態】
【００２７】
ここで、添付図面を組み合わせて本発明に対し更に詳細説明を行う。それら添付図面は、均しく簡略化した概念図であり、概念的に本発明の基本構造を説明し、よって本発明と関係する構成のみを示している。
【００２８】
図１に示す実施例のように、本発明に係る損失限定の金融取引システムは、トップレベルサーバー側１とディーラーのサーバー２とクライアント側３とを包括し、ディーラーのサーバー２がトップレベルサーバー側１とクライアント側３の間を介在し；トップレベルサーバー側１は、プライマリサーバー１０と第１サーバー１００と第２サーバー１０１と第３サーバー１０２とを包括し、プライマリサーバー１０が各々第１サーバー１００、第２サーバー１０１及び第３サーバー１０２に接続され、第１サーバー１００、第２サーバー１０１及び第３サーバー１０２が均しくディーラーのサーバー２に接続され；クライアント側３は、ディーラーのクライアント端末３０とディーラー代理人のクライアント端末３１と投資家のクライアント端末３２とを包括し、ディーラーのサーバー２が各々ディーラーのクライアント端末３０、ディーラー代理人のクライアント端末３１及び投資家のクライアント端末３２に接続される。
【００２９】
プライマリサーバー１０内に金融取引ユニットＩが設けられ、金融取引ユニットＩに対しＳＱＬ（Ｓｔｒｕｃｔｕｒｅｄ  Ｑｕｅｒｙ  Ｌａｎｇｕａｇｅ，構造化問合わせ言語）データ処理後を行った後で金融取引ユニットＩＩに変換し、金融取引ユニットＩＩが各々第１サーバー１００、第２サーバー１０１及び第３サーバー１０２内に保存されて共有し；そして第１サーバー１００、第２サーバー１０１及び第３サーバー１０２内で共有する金融取引ユニットＩＩがディーラーのサーバー２内に保存されて共有し；次にディーラーのサーバー２内で共有する金融取引ユニットＩＩは、ＦＴＰ（Ｆｉｌｅ  Ｔｒａｎｓｆｅｒ  Ｐｒｏｔｏｃｏｌ，ファイル転送プロトコル）、交換機、ファイアウォール及びＩＰ（Ｉｎｔｅｒｎｅｔ  Ｐｒｏｔｏｃｏｌ，インターネットプロトコル）のインターネットを順次経由してダウンロードされてディーラーのクライアント端末３０、ディーラー代理人のクライアント端末３１及び投資家のクライアント端末３２内に保存されて共有する。好ましくは、本金融取引システムの動作の信頼性を高めるため、プライマリサーバー１０、第１サーバー１００、第２サーバー１０１及び第３サーバー１０２均は、いずれも予備サーバーが設けられている。
【００３０】
図２に示すように、金融取引ユニットＩＩは、リミットロックモジュールと強制取引モジュールと相場情報取得モジュールと表示モジュールとを包括し、リミットロックモジュールが投資家に入力インターフェースを提供し、利益目標幅、損切り幅及び投資金額を入力するための入力モジュールを包括する。損切り幅に２つの入力方法があり、すなわち、１、入力モジュールから利益目標幅の値により自動入力し、その値が利益目標幅と同じ；２、投資家から入力し、その数値が利益目標幅と同じ又は異なることができる。利益目標幅及び投資金額はいずれも投資家から入力する。
【００３１】
金先物を例にすると、利益目標幅ＵＳＤ５及び投資金額ＵＳＤ１０００を手動で入力すると、損切り幅ＵＳＤ５を自動入力でき、利益目標幅と同じ、又は損切り幅ＵＳＤ１０或いはＵＳＤ４若しくはＵＳＤ５を手動で入力すると、利益目標幅より大きく、小さく又は等しくすることができる。
【００３２】
強制取引モジュールは、取引確定モジュールを包括し、取引確定モジュールが利益目標幅、損切り幅及び投資金額に基づいて取引量、利益目標額及び損切り額を自動算出でき、計算式：取引量＝投資金額／損切り幅で、利益目標額＝取引量×利益目標幅で、損切り額＝取引量×損切り幅である。引き続き上記金先物を例にすると、利益目標幅及び損切り幅はいずれもＵＳＤ５で、投資金額がＵＳＤ１０００の場合、取引量＝１０００／５＝２００オンス、利益目標額＝２００×５＝ＵＳＤ１０００、損切り額＝２００×５＝ＵＳＤ１０００となり；利益目標幅は、ＵＳＤ５の場合、損切り幅がＵＳＤ４、投資金額がＵＳＤ１０００となり、損切り幅によって取引量を計算すると、取引量＝１０００／４＝２５０オンス、利益目標額＝２５０×５＝ＵＳＤ１２５０、損切り額＝２５０×４＝ＵＳＤ１０００となり；以降も同様とする。
【００３３】
相場情報取得モジュールは、データソースプロバイダ（例えばロイター通信社路透社／彭博）が提供したプライスフィード（Ｐｒｉｃｅ  Ｆｅｅｄ）からがンターネットを経由してディーラーのサーバー２に伝送して投資商品のリアルタイム提示価格が得られ、リアルタイム提示価格をディーラーのクライアント端末３０、ディーラー代理人のクライアント端末３１及び投資家のクライアント端末３２に伝送するために用いられる。
【００３４】
表示モジュールは、少なくともリアルタイム提示価格インターフェース、未決済取引インターフェース、取消又は拒否された取引インターフェース、決済済み取引履歴インターフェース及び投資家の口座情報インターフェースを包括し、各々投資商品のリアルタイム提示価格とプライマリー及び全てのセカンダリーディーラー代理人の当日の少なくともデータ、すなわち、未決済取引、取消又は拒否された取引、決済済み取引履歴及び投資家の口座情報を表示するために用いられ；投資家の口座情報は、取引明細と資金明細とを包括し、取引明細が決済済み取引及び未決済取引の明細を含み、資金明細が預入額、引き出し額、信用額及び残高の明細を含む。
【００３５】
上記利益目標幅、損切り幅と投資金額及びそれに基づいて自動算出した取引量、利益目標額と損切り額及びリアルタイム提示価格が表示モジュールで表示され、投資家は取引量、利益目標額及び損切り額によって取引確定又は取引取消を選択する。投資家が取引を確定する前、リアルタイム提示価格に変動が発生した場合、取引確定モジュールから価格に変動があるため再見積の必要がある旨の知らせを発し、また変動後の価格に基づいて投資商品の取引量、利益目標額及び損切り額を再度自動算出した後表示モジュールに表示され、投資家は新しい取引量、利益目標額及び損切り額によって取引確定又は取引取消を再度選択する。
【００３６】
変動後の価格は、利益目標幅又は損切り幅の２者の発生の早い方が対応する投資商品価格Ｐに触れた又は超えた時、取引確定モジュールがリアルタイムで価格Ｐをもって投資商品に対し取引の決済を行い、投資家の選択が不要である。上記金先物を例にすると、利益目標幅をＵＳＤ５、損切り幅をＵＳＤ５、すなわち、利益目標幅＝損切り幅、投資金額をＵＳＤ１０００に設定し、取引確定モジュールは損切り幅及び投資金額によって取引量＝１０００／５＝２００オンス、利益目標額＝２００×５＝ＵＳＤ１０００、損切り額＝２００×５＝ＵＳＤ１０００と自動算出し、例えば当初の買付価格Ｐ０＝ＵＳＤ１０００／オンスで、ちょうど利益目標幅が対応する投資商品価格Ｐ１＝ＵＳＤ１００５／オンスに達し、ちょうど損切り幅が対応する投資商品価格Ｐ２＝ＵＳＤ９９５／オンスに達し、相場情報取得モジュールから取得されたリアルタイムな価格Ｐｔ≧Ｐ１＝ＵＳＤ１００５／オンス又はＰｔ≦Ｐ２＝ＵＳＤ９９５／オンスの時、取引確定モジュールはリアルタイムで価格Ｐ１＝ＵＳＤ１００５／オンス又はＰ２＝ＵＳＤ９９５／オンスにより取引の決済を自動的に行い、投資家の手動操作が不要で、こうして金の値上がり時あらかじめ設定した利益目標額ＵＳＤ１０００が得られ、金の値下がり時最大損失額を損切り額ＵＳＤ１０００に制御し、金の急上昇又は急落、例えば価格の大幅なギャップがあっても、その収益又は損失が確定されたもので、証拠金取引仕組み内の損失額の不確実性リスクを排除できる。
【００３７】
好ましくは、金融取引ユニットＩＩは、投資商品選択モジュールを更に包括し、金融取引ユニットＩが取引手数料徴収方式選択モジュールを包括し、投資商品選択モジュールが投資商品の種類を選択するために用いられ、例えば金等の貴金属、イギリスポンド等の通貨、原油等の商品及びインデックス等のいずれかを選択でき、取引手数料徴収方式選択モジュールがディーラーのコミッションや手数料徴収方式を選択するために用いられ、例えばスプレッド方式又は手数料方式を選択できる。
【００３８】
本発明は、投資家の実質的な意向及び負担できるリスクに重視する。よって、投資家は取引金額及び損切り幅をあらかじめ設定した場合、証拠金の差し入れ必要がなく、マージンコール（Ｍａｒｇｉｎ  Ｃａｌｌ）の必要もなく、損失が投資元本を超える状況が発生する可能性がなく、投資リスクを大幅に軽減する。
【００３９】
上述の通り開示した本発明の好ましい実施例を教示とし、上記の説明内容を通じて当業者は本発明の技術思想を脱しない範囲内で各種の変更や修飾を加えることができる。本発明の技術的範囲は、明細書上の記載内容に限定されるものではなく、特許請求の範囲に基づいてその技術的範囲を確定する。
【符号の説明】
【００４０】
１  トップレベルサーバー側
１０  プライマリサーバー
１００  第１サーバー
１０１  第２サーバー
１０２  第３サーバー
２  ディーラーのサーバー
３  クライアント側
３０  ディーラーのクライアント端末
３１  ディーラー代理人のクライアント端末
３２  投資家のクライアント端末
【図１】
0006647763.tif 000002
【図２】
0006647763.tif 000003